(57)【要約】  【課題】  カメラ装置とレコーダ装置がスイッチ装置を介して接続されたシステムにおいて、各装置の接続に用いられてる接続ポートが正しい接続ポートであるか否かを容易に確認することのできる接続確認装置を提供する。  【解決手段】  接続確認装置５は、スイッチ装置４について予め設定されている各装置用の専用の接続ポートのポート番号情報を含んだ第１のテーブルを記憶している。また、この接続確認装置５は、各装置のＭＡＣアドレスと識別番号を各装置から取得し、第２のテーブルとして記憶する。さらに、この接続確認装置５は、スイッチ装置４に接続されている装置のＭＡＣアドレスと接続ポートのポート番号情報をスイッチ装置４から取得し、第３のテーブルとして記憶する。そして、第１のテーブルと第２のテーブルと第３のテーブルを参照して、各装置との接続に用いられている接続ポートの正否を確認する。【選択図】  図１
2011249904.tif 000002
【特許請求の範囲】
【請求項１】
カメラ装置とレコーダ装置がスイッチ装置を介して接続されており、前記スイッチ装置には各装置との接続に用いられるべき専用の接続ポートが予め設定されているシステムにおいて用いられる接続確認装置であって、
前記スイッチ装置について予め設定されている前記専用の接続ポートのポート番号情報を含んでいる第１のテーブルを記憶する第１テーブル記憶部と、
前記システムを構成する各装置に割り当てられているアドレス情報と、各装置の種別を識別するための識別情報とを、各装置から取得する装置情報取得部と、
前記装置情報取得部によって取得された前記アドレス情報と前記識別情報を含んでいる第２のテーブルを記憶する第２テーブル記憶部と、
前記スイッチ装置に接続されている装置のアドレス情報と、前記装置との接続に用いられている接続ポートのポート番号情報とを、前記スイッチ装置から取得するスイッチ情報取得部と、
前記スイッチ情報取得部によって取得された前記アドレス情報と前記ポート番号情報を含んでいる第３のテーブルを記憶する第３テーブル記憶部と、
前記第１のテーブルと前記第２のテーブルと前記第３のテーブルを参照して、各装置との接続に用いられている接続ポートの正否を確認する接続確認部と、
を備えたことを特徴とする接続確認装置。
【請求項２】
前記第１のテーブルは、さらに、カメラ装置のチャンネル番号を示すチャンネル情報を含んでおり、前記チャンネル情報は、カメラ装置との接続に用いられるべきカメラ装置用の接続ポートのポート番号情報に対応づけられており、
前記接続確認装置は、さらに、
前記第１のテーブルと前記第２のテーブルと前記第３のテーブルを参照して、カメラ装置との接続に用いられている接続ポートのポート番号から、前記カメラ装置のチャンネル番号を特定するチャンネル特定部を備えたことを特徴とする請求項１に記載の接続確認装置。
【請求項３】
前記アドレス情報は、ＭＡＣアドレスであり、前記第２のテーブルは、さらに、前記システムを構成する各装置に割り当てられているＩＰアドレスを含んでおり、
前記接続確認装置は、さらに、
前記第２のテーブルと前記第３のテーブルを参照して、各装置との接続に用いられている接続ポートのポート番号情報から、各装置のＩＰアドレスを特定するＩＰアドレス特定部を備えたことを特徴とする請求項１または請求項２に記載の接続確認装置。
【請求項４】
複数のカメラ装置とレコーダ装置が複数のスイッチ装置を介してカスケード接続されており、前記スイッチ装置には、他のスイッチ装置との接続に用いられるべきスイッチ装置用の接続ポートが予め設定されており、
前記接続確認装置は、さらに、
前記第２のテーブルと前記第３のテーブルを参照して、前記複数のスイッチ装置の各々のカスケード接続の段数位置を特定するカスケード段数特定部を備えたことを特徴とする請求項１ないし請求項３のいずれかに記載の接続確認装置。
【請求項５】
前記接続確認部の確認結果をユーザに通知する結果通知部を備えたことを特徴とする請求項１ないし請求項４のいずれかに記載の接続確認装置。
【請求項６】
カメラ装置とレコーダ装置とスイッチ装置と接続確認装置とを備え、前記カメラ装置と前記レコーダ装置が前記スイッチ装置を介して接続されており、前記スイッチ装置には各装置との接続に用いられるべき専用の接続ポートが予め設定されているシステムであって、
前記接続確認装置は、
前記スイッチ装置について予め設定されている前記専用の接続ポートのポート番号情報を含んでいる第１のテーブルを記憶する第１テーブル記憶部と、
前記システムを構成する各装置に割り当てられているアドレス情報と、各装置の種別を識別するための識別情報とを、各装置から取得する装置情報取得部と、
前記装置情報取得部によって取得された前記アドレス情報と前記識別情報を含んでいる第２のテーブルを記憶する第２テーブル記憶部と、
前記スイッチ装置に接続されている装置のアドレス情報と、前記装置との接続に用いられている接続ポートのポート番号情報とを、前記スイッチ装置から取得するスイッチ情報取得部と、
前記スイッチ情報取得部によって取得された前記アドレス情報と前記ポート番号情報を含んでいる第３のテーブルを記憶する第３テーブル記憶部と、
前記第１のテーブルと前記第２のテーブルと前記第３のテーブルを参照して、各装置との接続に用いられている接続ポートの正否を確認する接続確認部と、
を備えたことを特徴とするシステム。
【請求項７】
カメラ装置とレコーダ装置がスイッチ装置を介して接続されており、前記スイッチ装置には各装置との接続に用いられるべき専用の接続ポートが予め設定されているシステムにおいて用いられる方法であって、
第１テーブル記憶部には、前記スイッチ装置について予め設定されている前記専用の接続ポートのポート番号情報を含んでいる第１のテーブルが記憶されており、
前記方法は、
前記システムを構成する各装置に割り当てられているアドレス情報と、各装置の種別を識別するための識別情報とを、各装置から取得することと、
前記装置情報取得部によって取得された前記アドレス情報と前記識別情報を含んでいる第２のテーブルを、第２テーブル記憶部に記憶することと、
記スイッチ装置に接続されている装置のアドレス情報と、前記装置との接続に用いられている接続ポートのポート番号情報とを、前記スイッチ装置から取得することと、
前記スイッチ情報取得部によって取得された前記アドレス情報と前記ポート番号情報を含んでいる第３のテーブルを、第３テーブル記憶部に記憶することと、
前記第１のテーブルと前記第２のテーブルと前記第３のテーブルを参照して、各装置との接続に用いられている接続ポートの正否を確認することと、
を含むことを特徴とする接続確認方法。
【請求項８】
カメラ装置とレコーダ装置がスイッチ装置を介して接続されており、前記スイッチ装置には各装置との接続に用いられるべき専用の接続ポートが予め設定されているシステムにおいて用いられる接続確認装置で実行されるプログラムあって、
第１テーブル記憶部には、前記スイッチ装置について予め設定されている前記専用の接続ポートのポート番号情報を含んでいる第１のテーブルが記憶されており、
前記プログラムは、コンピュータに、
前記システムを構成する各装置に割り当てられているアドレス情報と、各装置の種別を識別するための識別情報とを、各装置から取得する処理と、
前記装置情報取得部によって取得された前記アドレス情報と前記識別情報を含んでいる第２のテーブルを、第２テーブル記憶部に記憶する処理と、
前記スイッチ装置に接続されている装置のアドレス情報と、前記装置との接続に用いられている接続ポートのポート番号情報とを、前記スイッチ装置から取得する処理と、
前記スイッチ情報取得部によって取得された前記アドレス情報と前記ポート番号情報を含んでいる第３のテーブルを、第３テーブル記憶部に記憶する処理と、
前記第１のテーブルと前記第２のテーブルと前記第３のテーブルを参照して、各装置との接続に用いられている接続ポートの正否を確認する処理と、
を実行させることを特徴とするプログラム。
【発明の詳細な説明】
【技術分野】
【０００１】
本発明は、カメラ装置とレコーダ装置がスイッチ装置を介して接続されたシステムで用いられ、接続に用いられてる接続ポートが正しい接続ポートであるか否かを確認する機能を備えた接続確認装置に関するものである。
【背景技術】
【０００２】
従来、カメラ装置で撮影した映像をレコーダ装置にデジタル伝送して記録するシステムが知られている（例えば特許文献１参照）。このようなシステムでは、カメラ装置の設置時に、カメラ装置についての各種の情報（ＭＡＣアドレスやＩＰアドレスなど）をレコーダ装置に設定する必要がある。そこで、例えば、カメラ装置をネットワークに接続した際に、そのカメラ装置からレコーダ装置へＭＡＣアドレスを送信し、レコーダ装置でカメラ装置のＭＡＣアドレスを登録する技術が提案されている。また、レコーダ装置が、カメラ装置にＩＰアドレス（ネットワーク上で空いているＩＰアドレス）を自動的に割り当てて登録する技術も提案されている。
【先行技術文献】
【特許文献】
【０００３】
【特許文献１】特開２００８−１９９３０２号公報
【発明の概要】
【発明が解決しようとする課題】
【０００４】
しかしながら、従来のシステムは、接続に用いられてる接続ポートが正しい接続ポートであることが前提とされていた。ところが、多数のカメラ装置とレコーダ装置をスイッチ装置を介して接続するような場合には、その装置の接続に用いるべきでない接続ポートに誤って接続してしまうこともある。そして、各装置の接続に用いられるべき接続ポートに正しく接続されているかを確認するためにも、ネットワークやシステムに関する知識が必要である。しかし、現実には、必ずしもすべての作業者がそのような知識をもっているとは限らない。そこで、ネットワークやシステムに関する知識を持たない作業者でも、接続に用いられてる接続ポートが正しい接続ポートであるか否かを確認することができるような技術の開発が望まれていた。
【０００５】
本発明は、上記従来の問題を解決するためになされたもので、カメラ装置とレコーダ装置がスイッチ装置を介して接続されたシステムにおいて、各装置の接続に用いられてる接続ポートが正しい接続ポートであるか否かを確認することのできる接続確認装置を提供することを目的とする。
【課題を解決するための手段】
【０００６】
本発明の接続確認装置は、カメラ装置とレコーダ装置がスイッチ装置を介して接続されており、前記スイッチ装置には各装置との接続に用いられるべき専用の接続ポートが予め設定されているシステムにおいて用いられる接続確認装置であって、前記スイッチ装置について予め設定されている前記専用の接続ポートのポート番号情報を含んでいる第１のテーブルを記憶する第１テーブル記憶部と、前記システムを構成する各装置に割り当てられているアドレス情報と、各装置の種別を識別するための識別情報とを、各装置から取得する装置情報取得部と、前記装置情報取得部によって取得された前記アドレス情報と前記識別情報を含んでいる第２のテーブルを記憶する第２テーブル記憶部と、前記スイッチ装置に接続されている装置のアドレス情報と、前記装置との接続に用いられている接続ポートのポート番号情報とを、前記スイッチ装置から取得するスイッチ情報取得部と、前記スイッチ情報取得部によって取得された前記アドレス情報と前記ポート番号情報を含んでいる第３のテーブルを記憶する第３テーブル記憶部と、前記第１のテーブルと前記第２のテーブルと前記第３のテーブルを参照して、各装置との接続に用いられている接続ポートの正否を確認する接続確認部と、を備えた構成を有している。
【０００７】
この構成により、第２のテーブルと第３のテーブルを参照すると、スイッチ装置に接続されている装置のアドレス情報から、その装置の種別（例えば、カメラ装置であるか、レコーダ装置であるか等）を知ることができる。また、第１のテーブルと第３のテーブルを参照すると、スイッチ装置で装置の接続に用いられている接続ポートのポート番号情報から、その接続ポートがどの装置のための専用の接続ポートであるか（例えば、カメラ装置用の接続ポートであるか、レコーダ装置用の接続ポートであるか等）を知ることができる。したがって、その装置の接続に用いられている接続ポートが、正しい接続ポートであるか否かを確認することができる。
【０００８】
また、本発明の接続確認装置では、前記第１のテーブルは、さらに、カメラ装置のチャンネル番号を示すチャンネル情報を含んでおり、前記チャンネル情報は、カメラ装置との接続に用いられるべきカメラ装置用の接続ポートのポート番号情報に対応づけられており、前記接続確認装置は、さらに、前記第１のテーブルと前記第２のテーブルと前記第３のテーブルを参照して、カメラ装置との接続に用いられている接続ポートのポート番号から、前記カメラ装置のチャンネル番号を特定するチャンネル特定部を備えた構成を有している。
【０００９】
この構成により、第２のテーブルと第３のテーブルを参照して、スイッチ装置に接続されている装置がカメラ装置であると判明したときに、第１のテーブルと第３のテーブルを参照して、そのカメラ装置の接続に用いられている接続ポートのポート番号から、そのカメラ装置のチャンネル番号を特定することができる。
【００１０】
また、本発明の接続確認装置では、前記アドレス情報は、ＭＡＣアドレスであり、前記第２のテーブルは、さらに、前記システムを構成する各装置に割り当てられているＩＰアドレスを含んでおり、前記接続確認装置は、さらに、前記第２のテーブルと前記第３のテーブルを参照して、各装置との接続に用いられている接続ポートのポート番号情報から、各装置のＩＰアドレスを特定するＩＰアドレス特定部を備えた構成を有している。
【００１１】
この構成により、第２のテーブルと第３のテーブルを参照して、スイッチ装置で装置との接続に用いられている接続ポートのポート番号から、その装置（スイッチ装置に接続されている装置）のＩＰアドレスを特定することができる。
【００１２】
また、本発明の接続確認装置では、複数のカメラ装置とレコーダ装置が複数のスイッチ装置を介してカスケード接続されており、前記スイッチ装置には、他のスイッチ装置との接続に用いられるべきスイッチ装置用の接続ポートが予め設定されており、前記接続確認装置は、さらに、前記第２のテーブルと前記第３のテーブルを参照して、前記複数のスイッチ装置の各々のカスケード接続の段数位置を特定するカスケード段数特定部を備えた構成を有している。
【００１３】
この構成により、カメラ装置とレコーダ装置が複数のスイッチ装置を介してカスケード接続された場合に、第２のテーブルと第３のテーブルを参照すると、あるスイッチ装置に他のスイッチ装置が接続されているか否かがわかる。例えば、あるスイッチ装置Ａに他のスイッチ装置Ｂが接続されており、そのスイッチ装置Ｂに他のスイッチ装置Ｃが接続されており、そのスイッチ装置Ｃに他のスイッチ装置が接続されていない場合には、スイッチ装置Ａがカスケード接続の１段目であり、スイッチ装置Ｂがカスケード接続の２段目であり、スイッチ装置Ｃがカスケード接続の３段目であることがわかる。このようにして、複数のスイッチ装置の各々のカスケード接続の段数位置（カスケード接続の何段目であるか）を特定することができる。
【００１４】
また、本発明の接続確認装置は、前記接続確認部の確認結果をユーザに通知する結果通知部を備えた構成を有している。
【００１５】
この構成により、その装置の接続に用いられている接続ポートが、正しい接続ポートであるか否かの確認結果が、ユーザに対して通知される。例えば、カメラ装置用の接続ポートにレコーダ装置が接続されている場合には、接続ポートが正しくない旨の通知がユーザになされる。この通知により、ユーザは、その装置の接続に用いられている接続ポートが、正しい接続ポートであるか否かを簡単に知ることができる。
【００１６】
本発明のシステムは、カメラ装置とレコーダ装置とスイッチ装置と接続確認装置とを備え、前記カメラ装置と前記レコーダ装置が前記スイッチ装置を介して接続されており、前記スイッチ装置には各装置との接続に用いられるべき専用の接続ポートが予め設定されているシステムであって、前記接続確認装置は、前記スイッチ装置について予め設定されている前記専用の接続ポートのポート番号情報を含んでいる第１のテーブルを記憶する第１テーブル記憶部と、前記システムを構成する各装置に割り当てられているアドレス情報と、各装置の種別を識別するための識別情報とを、各装置から取得する装置情報取得部と、前記装置情報取得部によって取得された前記アドレス情報と前記識別情報を含んでいる第２のテーブルを記憶する第２テーブル記憶部と、前記スイッチ装置に接続されている装置のアドレス情報と、前記装置との接続に用いられている接続ポートのポート番号情報とを、前記スイッチ装置から取得するスイッチ情報取得部と、前記スイッチ情報取得部によって取得された前記アドレス情報と前記ポート番号情報を含んでいる第３のテーブルを記憶する第３テーブル記憶部と、前記第１のテーブルと前記第２のテーブルと前記第３のテーブルを参照して、各装置との接続に用いられている接続ポートの正否を確認する接続確認部と、を備えた構成を有している。
【００１７】
このシステムによっても、上記と同様に、各装置の接続に用いられている接続ポートが、正しい接続ポートであるか否かを確認することができる。
【００１８】
本発明の接続確認方法は、カメラ装置とレコーダ装置がスイッチ装置を介して接続されており、前記スイッチ装置には各装置との接続に用いられるべき専用の接続ポートが予め設定されているシステムにおいて用いられる方法であって、第１テーブル記憶部には、前記スイッチ装置について予め設定されている前記専用の接続ポートのポート番号情報を含んでいる第１のテーブルが記憶されており、前記方法は、前記システムを構成する各装置に割り当てられているアドレス情報と、各装置の種別を識別するための識別情報とを、各装置から取得することと、前記装置情報取得部によって取得された前記アドレス情報と前記識別情報を含んでいる第２のテーブルを、第２テーブル記憶部に記憶することと、記スイッチ装置に接続されている装置のアドレス情報と、前記装置との接続に用いられている接続ポートのポート番号情報とを、前記スイッチ装置から取得することと、前記スイッチ情報取得部によって取得された前記アドレス情報と前記ポート番号情報を含んでいる第３のテーブルを、第３テーブル記憶部に記憶することと、前記第１のテーブルと前記第２のテーブルと前記第３のテーブルを参照して、各装置との接続に用いられている接続ポートの正否を確認することと、を含んでいる。
【００１９】
この方法によっても、上記と同様に、各装置の接続に用いられている接続ポートが、正しい接続ポートであるか否かを確認することができる。
【００２０】
本発明のプログラムは、カメラ装置とレコーダ装置がスイッチ装置を介して接続されており、前記スイッチ装置には各装置との接続に用いられるべき専用の接続ポートが予め設定されているシステムにおいて用いられる接続確認装置で実行されるプログラムあって、第１テーブル記憶部には、前記スイッチ装置について予め設定されている前記専用の接続ポートのポート番号情報を含んでいる第１のテーブルが記憶されており、前記プログラムは、コンピュータに、前記システムを構成する各装置に割り当てられているアドレス情報と、各装置の種別を識別するための識別情報とを、各装置から取得する処理と、前記装置情報取得部によって取得された前記アドレス情報と前記識別情報を含んでいる第２のテーブルを、第２テーブル記憶部に記憶する処理と、前記スイッチ装置に接続されている装置のアドレス情報と、前記装置との接続に用いられている接続ポートのポート番号情報とを、前記スイッチ装置から取得する処理と、前記スイッチ情報取得部によって取得された前記アドレス情報と前記ポート番号情報を含んでいる第３のテーブルを、第３テーブル記憶部に記憶する処理と、前記第１のテーブルと前記第２のテーブルと前記第３のテーブルを参照して、各装置との接続に用いられている接続ポートの正否を確認する処理と、を実行させる。
【００２１】
このプログラムによっても、上記と同様に、各装置の接続に用いられている接続ポートが、正しい接続ポートであるか否かを確認することができる。
【発明の効果】
【００２２】
本発明は、カメラ装置とレコーダ装置がスイッチ装置を介して接続されたシステムにおいて、各装置の接続に用いられてる接続ポートが正しい接続ポートであるか否かを容易に確認することができるという効果を有する接続確認装置を提供することができるものである。
【図面の簡単な説明】
【００２３】
【図１】本発明の実施の形態における接続確認装置の構成を示すブロック図
【図２】本発明の実施の形態におけるシステムの構成を示すブロック図
【図３】本発明の実施の形態における第１のテーブルの一例を示した図
【図４】本発明の実施の形態における第２のテーブルの一例を示した図
【図５】本発明の実施の形態における第３のテーブルの一例を示した図
【図６】本発明の実施の形態における接続確認の動作の流れを示すフロー図
【図７】本発明の実施の形態におけるチャンネル特定の動作の流れを示すフロー図
【図８】本発明の実施の形態におけるＩＰアドレス特定の動作の流れを示すフロー図
【図９】本発明の実施の形態におけるカスケード段数特定の動作の流れを示すフロー図
【発明を実施するための形態】
【００２４】
以下、本発明の実施の形態の接続確認装置について、図面を用いて説明する。本実施の形態では、カメラ装置で撮影した映像をレコーダ装置にデジタル伝送して記録するシステム等に用いられる接続確認装置の場合を例示する。この接続確認装置は、各装置の接続に用いられてる接続ポートが正しい接続ポートであるか否かを容易に確認する機能を備えている。この機能は、接続確認装置のメモリやＨＤＤに格納されているプログラムによって実現される。
【００２５】
本発明の実施の形態の構成を、図面を参照して説明する。図１は、本実施の形態の接続確認装置の構成を示すブロック図であり、図２は、接続確認装置が用いられるシステムの構成を示すブロック図である。ここでは、まず、図２を参照しながら、システムの全体的な構成について説明する。
【００２６】
図２に示すように、本実施の形態のシステム１は、カメラ装置２とレコーダ装置３とスイッチ装置４と接続確認装置５で構成されている。３台のスイッチ装置４（スイッチ装置Ａ〜Ｃ）は、カスケード接続されている。１段目のスイッチ装置４（スイッチ装置Ａ）には、接続確認装置５とレコーダ装置３と複数のカメラ装置２と２段目のスイッチ装置４（スイッチ装置Ｂ）が接続されている。２段目のスイッチ装置４（スイッチ装置Ｂ）には、複数のカメラ装置２と３段目のスイッチ装置４（スイッチ装置Ｃ）が接続されている。３段目のスイッチ装置４（スイッチ装置Ｃ）には、複数のカメラ装置２が接続されている。このように、複数のカメラ装置２は、３台のスイッチ装置４（スイッチ装置Ａ〜Ｃ）を介して、レコーダ装置３に接続されている。
【００２７】
スイッチ装置４には、各装置（カメラ装置２、レコーダ装置３、接続確認装置５、他のスイッチ装置４）との接続に用いられる複数の接続ポートが設けられている。そして、後述するように、これらの接続ポートは、それぞれ各装置との接続に用いられるべき専用の接続ポートとして、予め設定がされている。例えば、ポート番号「１」の接続ポートはカメラ装置２用の接続ポートであることが、予め設定されている。したがって、カメラ装置２やレコーダ装置３をスイッチ装置４を介して接続してシステム１を構築するときには、各装置の接続に用いられるべき専用の接続ポートに各装置がそれぞれ正しく接続される必要がある。
【００２８】
つぎに、図１を参照しながら、接続確認装置５の構成について説明する。接続確認装置５は、コンピュータ装置（例えば、パーソナルコンピュータなど）で構成されている。なお、本実施の形態では、接続確認装置５が、外部装置として構成されている例について説明するが、本発明の範囲はこれに限定されるものではなく、接続確認装置５の機能を有するモジュールが、レコーダ装置３やスイッチ装置などに組み込まれてもよい。すなわち、接続確認装置５の機能が、レコーダ装置３やスイッチ装置などに内蔵されていてもよい。
【００２９】
図１に示すように、接続確認装置５は、第１テーブル記憶部６と装置情報取得部７と第２テーブル記憶部８とスイッチ情報取得部９と第３テーブル記憶部１０を備えている。第１テーブル記憶部６には、スイッチ装置４について予め設定されている各装置用の接続ポート（専用の接続ポート）のポート番号を含んでいる第１のテーブルが記憶される（図３参照）。
【００３０】
装置情報取得部７は、各装置のＭＡＣアドレス（システム１を構成する各装置に割り当てられているアドレス情報）と、各装置の識別番号（各装置の種別を識別するための識別情報）とを、各装置から取得する機能を備えている。第２テーブル記憶部８には、この装置情報取得部７によって取得されたＭＡＣアドレスと識別番号を含んでいる第２のテーブルが記憶される（図４参照）。
【００３１】
スイッチ情報取得部９は、スイッチ装置４に接続されている装置のＭＡＣアドレスと、その装置との接続に用いられている接続ポートのポート番号とを、スイッチ装置４から取得する機能を備えている。第３テーブル記憶部１０には、このスイッチ情報取得部９によって取得されたＭＡＣアドレスとポート番号を含んでいる第３のテーブルが記憶される（図５参照）。
【００３２】
また、接続確認装置５は、接続確認部１１とチャンネル特定部１２とＩＰアドレス特定部１３とカスケード段数特定部１４と結果通知部１５を備えている。接続確認部１１は、第１のテーブルと第２のテーブルと第３のテーブルを参照して、各装置との接続に用いられている接続ポートが正しい接続ポートであるか否かの判定を行う機能を備えている。結果通知部１５は、この接続確認部１１の確認結果をユーザに通知する機能を備えている。
【００３３】
第１のテーブルには、カメラ装置２のチャンネル番号が含まれており、このチャンネル番号は、カメラ装置用の接続ポート（カメラ装置２に接続されるべき接続ポート）のポート番号に対応づけられている（図３参照）。チャンネル特定部１２は、第１のテーブルと第２のテーブルと第３のテーブルを参照して、カメラ装置２との接続に用いられている接続ポートのポート番号から、カメラ装置２のチャンネル番号を特定する機能を備えている。結果通知部１５は、このチャンネル特定部１２の特定結果をユーザに通知する機能を備えていてもよい。
【００３４】
第２のテーブルには、システム１を構成する各装置に割り当てられているＩＰアドレスが含まれている（図４参照）。ＩＰアドレス特定部１３は、第２のテーブルと第３のテーブルを参照して、各装置との接続に用いられている接続ポートのポート番号情報から、各装置のＩＰアドレスを特定する機能を備えている。結果通知部１５は、このＩＰアドレス特定部１３の特定結果をユーザに通知する機能を備えていてもよい。
【００３５】
スイッチ装置４には、スイッチ装置用の接続ポート（他のスイッチ装置４との接続に用いられるべき接続ポート）が予め設定されている（図３参照）。カスケード段数特定部１４は、第２のテーブルと第３のテーブルを参照して、３台のスイッチ装置４（スイッチ装置Ａ〜Ｃ）の各々のカスケード接続の段数位置を特定する機能を備えている。結果通知部１５は、このカスケード段数特定部１４の特定結果をユーザに通知する機能を備えていてもよい。
【００３６】
ここで、図３〜図５を参照して、第１のテーブルと第２のテーブルと第３のテーブルの内容について、より具体的に説明する。図３は、第１のテーブルの一例を示す図である。図３に示すように、第１のテーブルには、１段目のスイッチ装置４（スイッチ装置Ａ）の情報と、２段目のスイッチ装置４（スイッチ装置Ｂ）の情報と、３段目のスイッチ装置４（スイッチ装置Ｃ）の情報が含まれている。
【００３７】
なお、第１テーブル記憶部６には、スイッチ装置４のすべての機種について段数位置ごとの情報が予め記憶されており、システム構成（何段目にどの機種のスイッチ装置４が接続されているか）に応じて、それらの情報が適切に選択され、第１のテーブルとして用いられる。例えば、図３の例では、識別番号「ＳＷ００１」の機種のスイッチ装置４（スイッチ装置Ａ）が１段目のときの情報と、識別番号「ＳＷ００１」の機種のスイッチ装置４（スイッチ装置Ｂ）が２段目のときの情報と、識別番号「ＳＷ００２」の機種のスイッチ装置４（スイッチ装置Ｃ）が３段目のときの情報とが選択されて、第１のテーブルとして用いられる。
【００３８】
図３の例では、１段目のスイッチ装置４（スイッチ装置Ａ）の識別番号は「ＳＷ００１」であり、のポート番号「１〜２２」はカメラ装置用の接続ポートであり、それぞれチャンネル番号「１〜２２」に対応している。また、ポート番号「２３」はレコーダ装置用の接続ポートであり、ポート番号「２４」は、コンピュータ装置用（接続確認装置用）の接続ポートであり、ポート番号「２５、２５」は、他のスイッチ装置用の接続ポートである。
【００３９】
また、２段目のスイッチ装置４（スイッチ装置Ｂ）の識別番号は「ＳＷ００１」であり、ポート番号「１〜２２」はカメラ装置用の接続ポートであり、それぞれチャンネル番号「２３〜４４」に対応している。また、ポート番号「２３」はレコーダ装置用の接続ポートであり、ポート番号「２４」は、コンピュータ装置用（接続確認装置用）の接続ポートであり、ポート番号「２５、２５」は、他のスイッチ装置用の接続ポートである。
【００４０】
さらに、３段目のスイッチ装置４（スイッチ装置Ｃ）の識別番号は「ＳＷ００２」であり、ポート番号「１〜１０」はカメラ装置用の接続ポートであり、それぞれチャンネル番号「４５〜５４」に対応している。また、ポート番号「１１」はレコーダ装置用の接続ポートであり、ポート番号「１２」は、コンピュータ装置用（接続確認装置用）の接続ポートであり、ポート番号「１３」は、他のスイッチ装置用の接続ポートである。
【００４１】
図４は、第２のテーブルの一例を示す図である。図４に示すように、第２のテーブルには、システム１を構成する各装置（カメラ装置２、接続確認装置５、スイッチ装置４、レコーダ装置３）から収集されたＭＡＣアドレスと識別番号とＩＰアドレスの情報が含まれている。
【００４２】
図４の例では、あるカメラ装置２（システム１を構成するカメラ装置２）のＭＡＣアドレスは「１１：１１：１１：１１：１１：１１」であり、識別番号は「ＣＭ００１」であり、ＩＰアドレスは「１９２．１６８．０．１０１」である。また、コンピュータ装置（システム１を構成する接続確認装置５）のＭＡＣアドレスは「ＡＡ：ＡＡ：ＡＡ：ＡＡ：ＡＡ：ＡＡ」であり、識別番号は「ＰＣ００１」であり、ＩＰアドレスは「１９２．１６８．０．０２０」である。
【００４３】
また、あるスイッチ装置４（システム１を構成するスイッチ装置４）のＭＡＣアドレスは「ＢＢ：ＢＢ：ＢＢ：ＢＢ：ＢＢ：ＢＢ」であり、識別番号は「ＳＷ００１」であり、ＩＰアドレスは「１９２．１６８．０．０３０」である。また、レコーダ装置３（システム１を構成するレコーダ装置３）のＭＡＣアドレスは「ＥＥ：ＥＥ：ＥＥ：ＥＥ：ＥＥ：ＥＥ」であり、識別番号は「ＲＣ００１」であり、ＩＰアドレスは「１９２．１６８．０．２５０」である。
【００４４】
図５は、第３のテーブルの一例を示す図である。図５に示すように、第３のテーブルには、３台のスイッチ装置４（スイッチ装置Ａ〜Ｃ）から収集した情報が含まれている。
【００４５】
図５の例では、スイッチ装置ＡのＭＡＣアドレスは「ＢＢ：ＢＢ：ＢＢ：ＢＢ：ＢＢ：ＢＢ」であり、このスイッチ装置Ａに接続されている装置のうち、例えば、ある装置のＭＡＣアドレスは「１１：１１：１１：１１：１１：１１」であり、その装置との接続に用いられている接続ポートのポート番号は「１」である。
【００４６】
また、図５の例では、スイッチ装置ＢのＭＡＣアドレスは「ＣＣ：ＣＣ：ＣＣ：ＣＣ：ＣＣ：ＣＣ」であり、このスイッチ装置Ｂに接続されている装置のうち、例えば、ある装置のＭＡＣアドレスは「２２：２２：２２：２２：２２：２２」であり、その装置との接続に用いられている接続ポートのポート番号は「１」である。
【００４７】
さらに、図５の例では、スイッチ装置ＣのＭＡＣアドレスは「ＤＤ：ＤＤ：ＤＤ：ＤＤ：ＤＤ：ＤＤ」であり、このスイッチ装置Ｃに接続されている装置のうち、例えば、ある装置のＭＡＣアドレスは「４４：４４：４４：４４：４４：４４」であり、その装置との接続に用いられている接続ポートのポート番号は「１」である。
【００４８】
以上のように構成された本実施の形態の接続確認装置５について、図６〜図９を参照してその動作を説明する。
【００４９】
図６は、接続確認の動作の流れを示すフロー図である。この接続確認の処理は、システム１の構築が完了した後（すべてのカメラ装置２とレコーダ装置３をスイッチ装置４を介して接続した後）などに実行される。なお、上述のように、このシステム１では、スイッチ装置４の接続ポートに、各装置との接続に用いられるべき専用の接続ポートが予め設定がされており、それらの専用の接続ポートのポート番号を含んだ第１のテーブルが第１テーブル記憶部６に記憶されている（図３参照）。
【００５０】
図６に示すように、本実施の形態の接続確認装置５において接続確認処理が行われるときには、まず、システム１を構成する各装置（カメラ装置２、レコーダ装置３、スイッチ装置４、接続確認装置５）から、ＭＡＣアドレスや識別番号などを取得する（Ｓ１）。そして、それらのＭＡＣアドレスや識別番号を含んだ第２のテーブルを作成し（図４参照）、第２テーブル記憶部８に記憶する（Ｓ２）。つぎに、スイッチ装置４から、接続されている装置のＭＡＣアドレスや接続ポートのポート番号などを取得する（Ｓ３）。そして、それらのＭＡＣアドレスやポート番号を含んだ第３のテーブルを作成し（図５参照）、第３テーブル記憶部１０に記憶する（Ｓ４）。
【００５１】
その後、接続確認装置５では、これらの第１〜第３のテーブルを参照して、接続ポートの正否の確認が行われる（Ｓ５）。例えば、図３〜図５の例では、第３のテーブルにおいて、スイッチ装置Ａのポート番号「２３」の接続先ＭＡＣアドレスが「１１：１１：１１：１１：１１：１１」となっていたと仮定する。この場合、第１のテーブルと第３のテーブルを参照することにより、スイッチ装置Ａのポート番号「２３」が、レコーダ装置専用の接続ポートであることがわかり、また、第２のテーブルと第３のテーブルを参照することにより、ＭＡＣアドレスが「１１：１１：１１：１１：１１：１１」の装置（この接続ポートに接続されている装置）が、カメラ装置２であることがわかる。したがって、システム１を構築する際に、誤ってレコーダ装置専用の接続ポートにカメラ装置２を接続してしまったこと、すなわち、カメラ装置２の接続に用いられている接続ポートが正しい接続ポートでないことが確認される。そして、このような確認処理の結果が、ユーザに通知される（Ｓ６）。例えば、正しくない接続ポートに接続されている場合には、その旨の警告が行われる。
【００５２】
なお、この接続確認処理は、一つの接続ポート単位で行われてもよく、複数の接続ポート単位（一つのエリア単位）で行われてもよい。また、カスケード接続の１段目のスイッチ装置４（レコーダ装置３が接続されるスイッチ装置４）は、すべてのカメラ装置２からの映像データが集中するため高スペックのスイッチ装置４であることが望ましい。この接続確認処理では、１段目のスイッチ装置４が高スペックのスイッチ装置４であるか否かの確認が行われてもよい。スイッチ装置４のスペックの高低は、識別番号から知ることができる。そして、１段目のスイッチ装置４が低スペックのスイッチ装置４であることが確認された場合には、その旨の警告が行われてもよい。
【００５３】
図７は、チャンネル特定の動作の流れを示すフロー図である。このチャンネル特定の処理は、接続ポートのポート番号からカメラ装置２のチャンネル番号を特定する必要があるときなどに実行される。なお、上述のように、このシステム１では、スイッチ装置４に、カメラ装置２との接続に用いられるべきカメラ装置専用の接続ポートが予め設定されており、第１のテーブルでは、そのカメラ装置専用の接続ポートのポート番号が、カメラ装置２のチャンネル番号と対応づけられている（図３参照）。
【００５４】
図７に示すように、本実施の形態の接続確認装置５においてチャンネル特定処理が行われるときには、まず、システム１を構成する各装置（カメラ装置２、レコーダ装置３、スイッチ装置４、接続確認装置５）から、ＭＡＣアドレスや識別番号などを取得する（Ｓ１０）。そして、それらのＭＡＣアドレスや識別番号を含んだ第２のテーブルを作成し（図４参照）、第２テーブル記憶部８に記憶する（Ｓ１１）。つぎに、スイッチ装置４から、接続されている装置のＭＡＣアドレスや接続ポートのポート番号などを取得する（Ｓ１２）。そして、それらのＭＡＣアドレスやポート番号を含んだ第３のテーブルを作成し（図５参照）、第３テーブル記憶部１０に記憶する（Ｓ１３）。
【００５５】
その後、接続確認装置５では、これらの第１〜第３のテーブルを参照して、チャンネル番号の特定が行われる（Ｓ１４）。例えば、スイッチ装置Ａのポート番号「１」に接続されている装置（カメラ装置２）のチャンネル番号を特定するときには、第２のテーブルと第３のテーブルを参照することにより、ＭＡＣアドレスが「１１：１１：１１：１１：１１：１１」の装置（この接続ポートに接続されている装置）が、カメラ装置２であることがわかる。そして、第１のテーブルと第３のテーブルを参照することにより、スイッチ装置Ａのポート番号「１」がチャンネル番号「１」に対応していることがわかる。したがって、スイッチ装置Ａのポート番号「１」に接続されている装置がカメラ装置２であり、そのチャンネル番号が「１」であることが特定される。そして、このようなチャンネル特定処理の結果が、ユーザに通知される（Ｓ１５）。
【００５６】
図８は、ＩＰアドレス特定の動作の流れを示すフロー図である。このＩＰアドレス特定の処理は、接続ポートのポート番号から装置のＩＰアドレスを特定する必要があるときなどに実行される。なお、上述のように、このシステム１では、第２のテーブルに、システム１を構成する各装置に割り当てられたＩＰアドレスが含まれている（図４参照）。
【００５７】
図８に示すように、本実施の形態の接続確認装置５においてＩＰアドレス特定処理が行われるときには、まず、システム１を構成する各装置（カメラ装置２、レコーダ装置３、スイッチ装置４、接続確認装置５）から、ＭＡＣアドレスや識別番号とともにＩＰアドレスを取得する（Ｓ２０）。そして、それらのＭＡＣアドレスや識別番号やＩＰアドレスを含んだ第２のテーブルを作成し（図４参照）、第２テーブル記憶部８に記憶する（Ｓ２１）。つぎに、スイッチ装置４から、接続されている装置のＭＡＣアドレスや接続ポートのポート番号などを取得する（Ｓ２２）。そして、それらのＭＡＣアドレスやポート番号を含んだ第３のテーブルを作成し（図５参照）、第３テーブル記憶部１０に記憶する（Ｓ２３）。
【００５８】
その後、接続確認装置５では、第２と第３のテーブルを参照して、ＩＰアドレスの特定が行われる（Ｓ２４）。例えば、図４および図５の例では、スイッチ装置Ａのポート番号「１」に接続されている装置（カメラ装置２）のＩＰアドレスを特定するときには、第２のテーブルと第３のテーブルを参照することにより、ＭＡＣアドレスが「１１：１１：１１：１１：１１：１１」の装置（この接続ポートに接続されている装置）が、カメラ装置２であり、そのＩＰアドレスが「１９２．１６８．０．１０１」であることがわかる。すなわち、スイッチ装置Ａのポート番号「１」に接続されている装置がカメラ装置２であり、そのＩＰアドレスが「１９２．１６８．０．１０１」であることが特定される。そして、このようなＩＰアドレス特定処理の結果が、ユーザに通知される（Ｓ２５）。
【００５９】
図９は、カスケード段数特定の動作の流れを示すフロー図である。このカスケード段数特定の処理は、カスケード接続されている複数のスイッチ装置４の各々の段数位置（カスケード接続の何段目であるか）を特定する必要があるときなどに実行される。なお、上述のように、このシステム１では、スイッチ装置４に、他のスイッチ装置４との接続に用いられるべきスイッチ装置専用の接続ポートが予め設定されている（図３参照）。
【００６０】
図９に示すように、本実施の形態の接続確認装置５においてカスケード段数特定処理が行われるときには、まず、システム１を構成する各装置（カメラ装置２、レコーダ装置３、スイッチ装置４、接続確認装置５）から、ＭＡＣアドレスや識別番号などを取得する（Ｓ３０）。そして、それらのＭＡＣアドレスや識別番号を含んだ第２のテーブルを作成し（図４参照）、第２テーブル記憶部８に記憶する（Ｓ３１）。つぎに、スイッチ装置４から、接続されている装置のＭＡＣアドレスや接続ポートのポート番号などを取得する（Ｓ３２）。そして、それらのＭＡＣアドレスやポート番号を含んだ第３のテーブルを作成し（図５参照）、第３テーブル記憶部１０に記憶する（Ｓ３３）。
【００６１】
その後、接続確認装置５では、第２と第３のテーブルを参照して、カスケード接続の段数位置の特定が行われる（Ｓ３４）。例えば、図４および図５の例では、このシステム１に、ＭＡＣアドレスが「ＢＢ：ＢＢ：ＢＢ：ＢＢ：ＢＢ：ＢＢ」「ＣＣ：ＣＣ：ＣＣ：ＣＣ：ＣＣ：ＣＣ」「ＤＤ：ＤＤ：ＤＤ：ＤＤ：ＤＤ：ＤＤ」の３台のスイッチ装置４（スイッチ装置Ａ〜Ｃ）が含まれていることがわかる。
【００６２】
そして、ＭＡＣアドレスが「ＢＢ：ＢＢ：ＢＢ：ＢＢ：ＢＢ：ＢＢ」のスイッチ装置４（スイッチ装置Ａ）には、ＭＡＣアドレスが「ＣＣ：ＣＣ：ＣＣ：ＣＣ：ＣＣ：ＣＣ」のスイッチ装置４（スイッチ装置Ｂ）が接続されていることがわかる。また、ＭＡＣアドレスが「ＣＣ：ＣＣ：ＣＣ：ＣＣ：ＣＣ：ＣＣ」のスイッチ装置４（スイッチ装置Ｂ）には、ＭＡＣアドレスが「ＢＢ：ＢＢ：ＢＢ：ＢＢ：ＢＢ：ＢＢ」と「ＤＤ：ＤＤ：ＤＤ：ＤＤ：ＤＤ：ＤＤ」のスイッチ装置４（スイッチ装置ＡとＣ）が接続されていることがわかる。また、ＭＡＣアドレスが「ＤＤ：ＤＤ：ＤＤ：ＤＤ：ＤＤ：ＤＤ」のスイッチ装置４（スイッチ装置Ｃ）には、ＭＡＣアドレスが「ＣＣ：ＣＣ：ＣＣ：ＣＣ：ＣＣ：ＣＣ」のスイッチ装置４（スイッチ装置Ｂ）が接続されていることがわかる。
【００６３】
さらに、ＭＡＣアドレスが「ＢＢ：ＢＢ：ＢＢ：ＢＢ：ＢＢ：ＢＢ」のスイッチ装置４（スイッチ装置Ａ）には、ＭＡＣアドレスが「ＥＥ：ＥＥ：ＥＥ：ＥＥ：ＥＥ：ＥＥ」のレコーダ装置３が接続されていることがわかる。以上から、スイッチ装置Ａがカスケード接続の１段目であり、スイッチ装置Ｂがカスケード接続の２段目であり、スイッチ装置Ｃがカスケード接続の３段目であることが特定される。そして、このようなカスケード段数特定処理の結果が、ユーザに通知される（Ｓ３５）。
【００６４】
このような本発明の実施の形態の接続確認装置５によれば、カメラ装置２とレコーダ装置３がスイッチ装置４を介して接続されたシステム１において、各装置（システム１を構成する各装置）の接続に用いられてる接続ポートが正しい接続ポートであるか否かを容易に確認することができる。
【００６５】
すなわち、本実施の形態では、第２のテーブルと第３のテーブルを参照すると、スイッチ装置４に接続されている装置のアドレス情報から、その装置の種別（例えば、カメラ装置２であるか、レコーダ装置３であるか等）を知ることができる。また、第１のテーブルと第３のテーブルを参照すると、スイッチ装置４で装置の接続に用いられている接続ポートのポート番号情報から、その接続ポートがどの装置のための専用の接続ポートであるか（例えば、カメラ装置用の接続ポートであるか、レコーダ装置用の接続ポートであるか等）を知ることができる。したがって、その装置の接続に用いられている接続ポートが、正しい接続ポートであるか否かを確認することができる。
【００６６】
また、本実施の形態では、第２のテーブルと第３のテーブルを参照して、スイッチ装置４に接続されている装置がカメラ装置２であると判明したときに、第１のテーブルと第３のテーブルを参照して、そのカメラ装置２の接続に用いられている接続ポートのポート番号から、そのカメラ装置２のチャンネル番号を特定することができる。
【００６７】
また、本実施の形態では、第２のテーブルと第３のテーブルを参照して、スイッチ装置４で装置との接続に用いられている接続ポートのポート番号から、その装置（スイッチ装置４に接続されている装置）のＩＰアドレスを特定することができる。
【００６８】
また、本実施の形態では、カメラ装置２とレコーダ装置３が複数のスイッチ装置４を介してカスケード接続された場合に、第２のテーブルと第３のテーブルを参照すると、あるスイッチ装置４に他のスイッチ装置４が接続されているか否かがわかる。例えば、あるスイッチ装置Ａに他のスイッチ装置Ｂが接続されており、そのスイッチ装置Ｂに他のスイッチ装置Ｃが接続されており、そのスイッチ装置Ｃに他のスイッチ装置が接続されていない場合には、スイッチ装置Ａがカスケード接続の１段目であり、スイッチ装置Ｂがカスケード接続の２段目であり、スイッチ装置Ｃがカスケード接続の３段目であることがわかる。このようにして、複数のスイッチ装置４の各々のカスケード接続の段数位置（カスケード接続の何段目であるか）を特定することができる。
【００６９】
また、本実施の形態では、その装置の接続に用いられている接続ポートが、正しい接続ポートであるか否かの確認結果が、ユーザに対して通知される。例えば、カメラ装置用の接続ポートにレコーダ装置３が接続されている場合には、接続ポートが正しくない旨の通知がユーザになされる。この通知により、ユーザは、その装置の接続に用いられている接続ポートが、正しい接続ポートであるか否かを簡単に知ることができる。
【００７０】
以上、本発明の実施の形態を例示により説明したが、本発明の範囲はこれらに限定されるものではなく、請求項に記載された範囲内において目的に応じて変更・変形することが可能である。
【産業上の利用可能性】
【００７１】
以上のように、本発明にかかる接続確認装置は、カメラ装置とレコーダ装置がスイッチ装置を介して接続されたシステムにおいて、各装置の接続に用いられてる接続ポートが正しい接続ポートであるか否かを容易に確認することができるという効果を有し、カメラ装置で撮影した映像をレコーダ装置にデジタル伝送して記録するシステム等に適用され、有用である。
【符号の説明】
【００７２】
１  システム
２  カメラ装置
３  レコーダ装置
４  スイッチ装置
５  接続確認装置
６  第１テーブル記憶部
７  装置情報取得部
８  第２テーブル記憶部
９  スイッチ情報取得部
１０  第３テーブル記憶部
１１  接続確認部
１２  チャンネル特定部
１３  ＩＰアドレス特定部
１４  カスケード段数特定部
１５  結果通知部
【図１】
2011249904.tif 000003
【図２】
2011249904.tif 000004
【図３】
2011249904.tif 000005
【図４】
2011249904.tif 000006
【図５】
2011249904.tif 000007
【図６】
2011249904.tif 000008
【図７】
2011249904.tif 000009
【図８】
2011249904.tif 000010
【図９】
2011249904.tif 000011